(57)【要約】      （修正有）【課題】ハンガーの再利用を見栄え良く行えること。【解決手段】このハンガーカバー１００は、複数のハンガーＨを重ねてハンガーＨの桟部Ｂの部分を本体１の折り畳み部分に当てながら本体１をハンガーＨの両側から折り畳み、当該ハンガーＨを包むように収納する。そして、ハンガーＨの位置を整え、被せ部２，２を内側に入れ込み背面の左右の被せ部３，３を折り曲げ、本体１の正面側に被せ、面ファスナー７，８で連結する。これにより、ハンガーＨのフックＨｈが本体１の上部から出た状態で当該ハンガーＨがハンガーカバー１００に収納される。このようにすれば、使い捨てのハンガーＨを有効利用でき、複数のハンガーＨを本体１で包むように収納するので見栄えが良い。【選択図】図３
2011250908.tif 000002
【特許請求の範囲】
【請求項１】
本体が平面形状で且つ可撓性の素材からなり、
当該本体の中央横方向にハンガーの桟部が当接される折り畳み部分を有すると共に、
本体基部の上又は下の左右に、ハンガーのアーム部に沿って折り曲げられる被せ部を有することを特徴とするハンガーカバー。
【請求項２】
更に、前記本体にポケットを設けたことを特徴とする請求項１に記載のハンガーカバー。
【請求項３】
更に、前記本体にフックを設けたことを特徴とする請求項１又は２に記載のハンガーカバー。
【請求項４】
請求項１〜３のいずれか一つに記載のハンガーカバーに、複数のハンガーを収納してなることを特徴とする組立ハンガー。
【発明の詳細な説明】
【技術分野】
【０００１】
本発明は、複数のハンガーをまとめて利用するためのハンガーカバー及び組立ハンガーに関するものである。
【背景技術】
【０００２】
従来から複数のハンガーを連結して再利用する発明として、特許文献１に記載のような組み立て式ハンガーが知られている。この組み立て式ハンガーは、２つのハンガーの首部を連結クリップにより連結すると共に、ハンガーのズボン引掛体の間に３つの連結棒を渡し、当該ズボン引掛体同士を一定の隙間をあけて固定した構造である。これにより全体としての強度が向上してハンガー自体に厚みを持たせることができる。しかしながら、上記従来の組み立て式ハンガーでは、金属ワイヤーのハンガーが外部に露出するので見栄えが悪く、ハンカチやボタン等の小物の収納ができないという問題点があった。
【先行技術文献】
【特許文献】
【０００３】
【特許文献１】第３００４７５４号登録実用新案公報
【発明の概要】
【発明が解決しようとする課題】
【０００４】
解決しようとする問題点は、複数のハンガーを見栄え良く組み合わせる点である。また、好ましくは小物の収納もできるようにする点である。
【課題を解決するための手段】
【０００５】
本発明のハンガーカバーは、本体が平面形状で且つ可撓性の素材からなり、当該本体の中央横方向にハンガーの桟部が当接される折り畳み部分を有すると共に、本体基部の上又は下の左右に、ハンガーのアーム部に沿って折り曲げられる被せ部を有することを特徴とする。
【０００６】
また、この発明のハンガーカバーは、上記発明において、更に、前記本体にポケットを設けたことを特徴とする。
【０００７】
また、この発明のハンガーカバーは、上記発明において、更に、前記本体にフックを設けたことを特徴とする。
【０００８】
本発明の組立ハンガーは、上記ハンガーカバーに、複数のハンガーを収納してなることを特徴とする。
【図面の簡単な説明】
【０００９】
【図１】この発明の実施の形態１にかかるハンガーカバーの表面を示す平面図である。
【図２】図１に示したハンガーカバーの裏面を示す平面図である。
【図３】図１に示したハンガーカバーの使用状態を示す説明図である。
【図４】図１に示したハンガーカバーの使用状態を示す説明図である。
【図５】図１に示したハンガーカバーの使用状態を示す説明図である。
【発明を実施するための形態】
【００１０】
図１は、この発明の実施の形態１にかかるハンガーカバーの表面を示す平面図である。図２は、図１に示したハンガーカバーの裏面を示す平面図である。図３〜図５は、図１に示したハンガーカバーの使用状態を示す説明図である。このハンガーカバー１００は、金属ワイヤー、プラスチック等からなるハンガーを複数収納することで全体として立体的なハンガーとするものである。
【００１１】
収納対象となるハンガーは、例えばビニール等で被覆された金属製の線材を曲げ成形されたハンガーやプラスチック製の薄型のハンガーであり、上部にフックＨｈが曲げ成形され、上着の肩部分が掛ける左右斜めに成形されたアーム部Ａと、ズボン等を引掛ける直線に成形された桟部Ｂとからなる。
【００１２】
ハンガーカバー１００の本体１は、全体が平面形状であり且つその展開状態で基部５０の上及び下の左右にそれぞれ被せ部２，３を有する。この被せ部２，３は、ハンガーＨを収納する場合にアーム部Ａに沿って折り曲げられるように設けられる。なお、図示したハンガーカバー１００は、アヒルのキャラクターが応用され、アヒルの顔と胴体が基部５０となり、当該基部５０に羽根を模した被せ部２，３が設けられる。このハンガーカバー１００は、フェルト等の不織布、化学繊維等の織布、ビニール等の可撓性の素材からなる。本体１の使用状態で正面側となる被せ部２，２は、その折り曲げ部分４にクセが付けられている。例えば、折り曲げ部分４の一部を山形に折って左右から縫う等の方法でクセをつけている。
【００１３】
また、ハンガーカバー１００の本体１は、ハンガーＨの桟部Ｂが押し当てられて折り畳まれる折り畳み部分５を本体中央横方向に有する。なお、折り畳み部分５であることを示す線等が設けられるとは限らない。
【００１４】
本体１の裏面１桟部Ｂの中央には、両側縁を本体裏面１桟部Ｂに対して縫い付けた長方形のメッシュ材からなるポケット６が設けられる。前記折り畳み部分５は当該ポケット６の中央を横切る。また、本体１の使用状態（ハンガーＨをハンガーカバー１００に収納する状態）で正面側となる部分であってハンガーＨを収納した場合にアーム部Ａが位置することになる部分より内側に面ファスナー７が設けられる。また、この面ファスナー７に対応する面ファスナー８が本体１の使用状態で背面側となる被せ部３，３の裏面に設けられる。
【００１５】
更に、本体１には仮止めバンド９が設けられる。この仮止めバンド９の一端は、本体１の使用状態で背面側となる被せ部３，３の裏面に設けられ、他端には面ファスナー（図示省略）が設けられる。当該面ファスナーに対応する面ファスナー１０は、前記本体１の使用状態で正面側となる被せ部２，２の表面に設けられる。仮止めバンド９は、ゴム布等の伸縮性の素材から構成される。
【００１６】
本体１の使用状態で正面側となる部分の表面１ａの中央には、ネクタイ等を引っ掛けるためのフック１１が設けられている。このフック１１は、帯状体の両端を本体１に固定した構造であり、本体１に対して横方向に設けられる。本体の同図に示す例では、アヒルのキャラクターの口の部分がフック１１となり、その上くちばし１２は本体１に固定され、下くちばし１３はその両端のみが本体１に固定される。これにより、図３及び４に示すように、ネクタイ等の長尺物Ｇを下くちばし１３に引っかけることができる。
【００１７】
また、本体１の使用状態で裏面側となる中央部分には、上記同様のメッシュ材からなるポケット１５が設けられる。
【００１８】
次に、このハンガーカバー１００の使用方法について説明する。本体１を展開した状態で本体裏面１桟部Ｂを上にして平らな場所に置く。そして、複数のハンガーＨを重ねて当該ハンガーの桟部Ｂの部分を本体１の折り畳み部分５に当てながら本体１をハンガーＨの両側から折り畳み、当該ハンガーＨを包むように収納する。このとき、クセを付けた左右の被せ部２，２をハンガーＨのアーム部Ａに引掛けると共に左右の仮止めバンド９を当該被せ部２，２に連結させる。これにより、複数のハンガーＨがハンガーカバー１００により仮保持される。この状態で全てのハンガーＨの位置を整え、被せ部２，２を内側に入れ込み、最後に背面の左右の被せ部３，３を折り曲げ、本体１の正面側に被せ、面ファスナー７，８で連結する。
【００１９】
これにより、ハンガーＨのフックＨｈが本体１の上部から出た状態で当該ハンガーＨがハンガーカバー１００に収納される。即ち、被せ部２，３をハンガーＨの左右から被せて収納するので、被せ部２，３の間からフックＨｈを出すことが可能となり、且つ、被せ部２，３がハンガーのアーム部Ａに沿って被せられるので、ハンガーＨをしっかり保持できる。また、本体１を折り畳むことで前記ポケット６は内部で半分に折り畳まれ、その結果、開口部６アーム部Ａがそれぞれ上に向くことになるので、ハンガーカバー１００の上部（フックが出ている部分）からボタン等の小物をポケット６に入れることができる。なお、ハンガーカバー１００の本体１はフェルト等の可撓性の素材で構成されているので、当該上部端縁１ｃを引っ張ることで簡単に開くことができる。また、本体１の背面側のポケット１５にも小物を収納できる。
【００２０】
また、ハンガーカバー１００の使用状態でその左右端部１ｄは開放されている。これにより、幅の大きなハンガーＨでも当該ハンガーカバー１００に収納できる。更に、ネクタイ等の長尺物Ｇは、本体正面のフック１１に引っ掛けて収納できる。
【００２１】
以上、この発明のハンガーホルダー１００によれば、複数のハンガーＨを本体１で包むように収納するので見栄えが良い。また、ボタン等の小物やネクタイ等の長尺物を収納することができる。更に、複数のハンガーＨを収納することでアーム部Ａに厚みを持たせることができるので、衣類の型崩れを防止できる。更に、金属製の線材からなる所謂使い捨てハンガーであっても見栄え良く収納できるので、当該使い捨てハンガーを有効に再利用できる。
【００２２】
なお、上記実施の形態のハンガーカバー１００ではアヒルを模したデザインを例示したが、これに限定されない。また、被せ部２と被せ部３とのいずれか一方を省略しても良い。また、ポケット６は半分に折り畳むことで底を作るのではなく、折り畳み部分５の両側または片側に独立して設けても良い（図示省略）。
【００２３】
また、ハンガーカバー１００と複数のハンガーＨとを組み合わせた組立ハンガーとして理解することができる。即ち、この組立ハンガーは、複数のハンガーＨをハンガーカバー１００に収納して一つの立体的なハンガーとして用いることもでき、また一つのハンガーのみを取り出して別のハンガーとして用いることもできるようにする。このようにすれば、ジャケット等の型崩れが心配な衣類に対してはアーム部Ａの厚さを確保し、シャツ類に用いる場合には一つ又は二つのハンガーＨをハンガーカバー１００から取り出して独立して用いるようにする。
【符号の説明】
【００２４】
１００  ハンガーカバー
１  本体
５０  基部
２，３  被せ部
４  折り曲げ部分
５  折り畳み部分
６  ポケット
７，８  面ファスナー
９  仮止めバンド
１１  フック
Ｈ  ハンガー
【図１】
2011250908.tif 000003
【図２】
2011250908.tif 000004
【図３】
2011250908.tif 000005
【図４】
2011250908.tif 000006
【図５】
2011250908.tif 000007